(57)【要約】【課題】  プロジェクタの筐体内部に設置され、このプロジェクタが投写した画像を取り込むスクリーンセンサは、プロジェクタの筐体の内部の温度上昇に伴う熱の影響を受けて、スクリーンセンサが生成する信号に雑音が混入するため、この雑音により投写した画像の輝度や色度等、各種パラメータを算出する際に誤差が生じた。【解決手段】  電源装置４から供給される電力を受けて光源装置１が光束を射出し、光学装置２が当該光束を画像情報に応じて変調して画像を生成し、投写レンズ３が当該画像を投写するプロジェクタ１００であって、前記投写された画像を撮像する撮像装置５と、前記撮像装置５を冷却する冷却装置６Ａとを備える。【選択図】      図２
2006064915.tif 000002
【特許請求の範囲】
【請求項１】
電源装置から供給される電力を受けて光源装置が光束を射出し、光学装置が当該光束を画像情報に応じて変調して画像を生成し、当該画像を投写するプロジェクタであって、
前記投写された画像を撮像する撮像装置と、
前記撮像装置を冷却する冷却装置とを備えることを特徴とするプロジェクタ。
【請求項２】
請求項１に記載のプロジェクタにおいて、
前記冷却装置は、
前記電源装置、前記光源装置または前記光学装置の少なくとも１つを更に冷却することを特徴とするプロジェクタ。
【請求項３】
請求項１乃至２のいずれかに記載のプロジェクタにおいて、
前記冷却装置は、
前記撮像装置が前記画像を撮像しない場合、前記撮像装置の冷却を休止することを特徴とするプロジェクタ。
【請求項４】
請求項１乃至３のいずれか１項に記載のプロジェクタにおいて、
前記冷却装置は、
熱を吸収する冷却媒体により冷却することを特徴とするプロジェクタ。
【請求項５】
請求項４に記載のプロジェクタにおいて、
前記冷却媒体は、空気であることを特徴とするプロジェクタ。
【請求項６】
請求項４に記載のプロジェクタにおいて、
前記冷却媒体は、液体であることを特徴とするプロジェクタ。
【発明の詳細な説明】
【技術分野】
【０００１】
本発明は、スクリーン等に画像を投写するプロジェクタに関する。
【背景技術】
【０００２】
プロジェクタで投写した画像を、当該プロジェクタが取り込み、取り込んだ画像から画像の歪みや輝度を検出すると共に、当該プロジェクタがこれらを補正する方法が知られている。
この中で、画像を投写したプロジェクタが当該画像を取り込む方法としては、下記の特許文献１に記載されるように、プロジェクタに組み込まれたスクリーンセンサにより、投写した画像を検出して取り込んでいた。
【０００３】
【特許文献１】特開２０００−１１２０２１号公報
【発明の開示】
【発明が解決しようとする課題】
【０００４】
しかしながら、従来の方法では、スクリーンセンサは、プロジェクタの操作性や可般性を考慮して、プロジェクタの筐体内部に組み込まれていたので、画像の投写時において、筐体の内部に発生する熱の影響を受け、スクリーンセンサの周囲の温度は上昇した。この結果、スクリーンセンサの撮像素子が有する温度特性により、撮像素子の暗電流と熱雑音とが増加して、スクリーンセンサが生成する検出信号に雑音が混入することが多くなった。従って、投写した画像の歪みや輝度等をこの検出信号に基づいて算出する際に、混入した雑音により誤差が生じるという問題があった。
【課題を解決するための手段】
【０００５】
上記した課題を解決するために、本発明のプロジェクタは、電源装置から供給される電力を受けて光源装置が光束を射出し、光学装置が当該光束を画像情報に応じて変調して画像を生成し、当該画像を投写するプロジェクタであって、前記投写された画像を撮像する撮像装置と、前記撮像装置を冷却する冷却装置とを備えることを特徴とする。
上記構成によれば、プロジェクタで投写した画像を取り込む撮像装置は、冷却装置により冷却されるため、撮像装置の周囲からの熱の影響を受け難くなり、撮像装置は、雑音が少なく、良質な画像の信号を生成できる。
【０００６】
本発明のプロジェクタでは、前記冷却装置は、前記電源装置、前記光源装置または前記光学装置の少なくとも１つを更に冷却することが好ましい。
この発明によれば、冷却装置は、撮像装置を冷却することに加えて、プロジェクタ内の他の装置や光学系も冷却するため、冷却手段をそれぞれ個別に設置する必要が無く、プロジェクタの小型化および軽量化に加え、低コスト化を図れる。
【０００７】
本発明のプロジェクタでは、前記冷却装置は、前記撮像装置が前記画像を撮像しない場合、前記撮像装置の冷却を休止することが好ましい。
この発明によれば、撮像装置が画像を撮像しない場合、冷却装置は撮像装置の冷却を休止するため、プロジェクタの消費電力を低減できる。
【０００８】
本発明のプロジェクタでは、前記冷却装置は、熱を吸収する冷却媒体により冷却することが好ましい。また、本発明では、冷却媒体は、空気である場合と、液体である場合とが考えられる。
冷却媒体として空気を用いた場合は、冷却媒体をプロジェクタの内部で保持する必要がないため、プロジェクタの軽量化を図れる。
また、冷却媒体として液体を用いた場合は、冷却効率が高いプロジェクタを提供できる。
【発明を実施するための最良の形態】
【０００９】
以下、本発明の実施形態を図面に基づいて説明する。
（実施形態１）
【００１０】
（１．プロジェクタの主な構成）
図１は、本実施形態１に係るプロジェクタ１００の外観を示す斜視図である。このプロジェクタ１００は、上部の外装ケースであるアッパーケース３５と、下部の外装ケースであるロアーケース３０とを備え、これらは互いにネジで固定されて、外観視、略直方体形状となっている。
アッパーケース３５は、上面部と、その周囲に設けられた側面部と、背面部と、正面部とで形成されている。正面部と上面部には、投写レンズ３の前面上部が露出するように切欠部３９が設けられ、投写レンズ３のズーム操作、フォーカス操作をレバーを介して手動で行えるようになっている。上面部の切欠部３９の後方側には、操作パネル３７が設けられている。この操作パネル３７は、複数の押しボタンを備え、プロジェクタ１００の使用者が、このボタンを押下することで、電源、画質調整および映像信号の選択等を操作できる。
また、正面部には、後述する第２の冷却装置６Ｂの冷却空気を排気することに加えて、遮光機能を兼ねた排気用ルーバ３８が備えられている。
更に、正面部の切欠部３９の近傍には、センサ窓３６が設けられている。このセンサ窓３６は、透明なアクリル板で形成されている。アッパーケース３５とロアーケース３０とを組み立てた場合、このセンサ窓３６を通して、後述するスクリーン撮像部５の撮像レンズ５１がスクリーンに撮像した画像を撮像可能となるように調整されている。
【００１１】
ロアーケース３０は、底面部と、その周囲に設けられた側面部と、正面部と、背面部とで形成されている。一方の側面部と、この側面部と対向するアッパーケース３５の側面部とは、一体となる切欠部を有し、この切欠部には、後述する第１の冷却装置６Ａが空気を吸引する吸気口８Ａが設置される。
また、図示は略すが、底面部の前方側には、プロジェクタ１００全体の傾きを調整して投写画像の位置合わせを行う位置調整機構と、第２の冷却装置６Ｂおよび第３の冷却装置６Ｃの冷却空気の吸気口とが設けられている。
【００１２】
次に、プロジェクタ１００の内部の構成について説明する。図２は、本実施形態１に係るプロジェクタ１００の内部の概略構成を示す斜視図である。このプロジェクタ１００の内部は、光源装置１と、光学装置２と、投写レンズ３と、電源装置４と、スクリーン撮像部５と、冷却装置６と、空気流出入口８と、図示を略した制御基板とを備えて構成される。
この中で、光源装置１、光学装置２および投写レンズ３は、このプロジェクタ１００の光学系を形成している。この光学系についての詳細は、後述する。
制御基板は、アッパーケース３５の上面部の内側に、アルミニウム製のシールド板で覆われて配置されている。この制御基板には、ＣＰＵやメモリ等を備え、このプロジェクタ１００の種々の機能を制御する。
電源装置４は、内部に図示を略した電源と、ランプ駆動回路とで構成されている。この電源は、電源ケーブルを通して供給された電力をランプ駆動回路や制御基板等に供給するものであり、ランプ駆動回路は、電力を光源装置１の光源ランプ２１６（図３）に供給するものである。また、電源装置４の周辺は、電圧変換や整流作用を行う際の変換ロス等により、内部に熱を発生するため、後述する第３の冷却装置６Ｃにより冷却可能なるように配置されている。
なお、図示を略すが、この電源装置４および光学装置２は、上下を含む周囲をアルミニウム製のシールド板で覆われており、これによって、電源装置４等から外部への電磁ノイズの漏れを防止している。
【００１３】
スクリーン撮像部５は、撮像レンズ５１と、撮像素子５５（図５）と、周辺回路および演算回路を具備する信号処理部７とを有した撮像装置である。撮像レンズ５１は、プロジェクタ１００がスクリーンに投写した投写画像を撮像する。撮像素子５５（図５）と周辺回路は、撮像レンズ５１が撮像した投写画像を画像信号に変換して演算回路に送る。演算回路は、送られた画像信号からプロジェクタ１００が投写する画像の歪みや輝度等を算出して制御基板に送る。ここで、制御基板は、演算回路から送られた情報に基づいて、画像の歪みや輝度等が所定の範囲になるように、プロジェクタ１００の各部を制御する。
尚、プロジェクタ１００の光学系の各部で発生する光エネルギーから熱エネルギーへの変換による熱や、光源装置１から筐体を経て伝わる熱による撮像素子５５（図５）周辺の温度の上昇を低減するため、撮像素子５５（図５）周辺は、後述する第１の冷却装置６Ａにより冷却可能になるように配置されている。
冷却装置６は、ロアーケース３０の一方の側面部の吸気口８Ａに接するように配置された第１の冷却装置６Ａと、ロアーケース３０の他方の側面部側に設置された第２の冷却装置６Ｂと、電源装置４および投写レンズ３を挟む位置に設置された第３の冷却装置６Ｃとを備える。これらの冷却装置６による冷却系の構成については、後述する。
【００１４】
（２．光学系の主な構成）
次に、このプロジェクタ１００の光学系について説明する。図３は、プロジェクタ１００の光学系の構造を模式的に示す平面図である。この中で、光学系を構成する光学装置２は、ライトガイド２５と呼ばれる光学部品の筐体内部に組み込まれて構成され、この図は、具体的には、光学装置２における図示しない下ライトガイドを取り外して、ロアーケース３０の底面部側から見た図である。
ライトガイド２５内に収納される複数の光学部品は、インテグレータ照明光学系２１と、色分離光学系２２と、リレー光学系２３と、光変調装置および色合成光学系を一体化した光学装置２４とで構成されている。
インテグレータ照明光学系２１は、光源から射出された光束を照明光軸直交面内における照度を均一にするための光学系である。このインテグレータ照明光学系２１は、光源装置１、第１レンズアレイ２１２、第２レンズアレイ２１３、偏光変換素子２１４、および重畳レンズ２１５を備えて構成される。
【００１５】
光源装置１は、放射光源としての光源ランプ２１６、リフレクタ２１７、およびリフレクタ２１７の光束射出面を覆う防爆ガラス２１８を備える。そして、光源ランプ２１６から射出された放射状の光束は、リフレクタ２１７で反射されて略平行光束とされ、外部へと射出される。本実施形態１では、光源ランプ２１６として、高圧水銀ランプを採用し、リフレクタ２１７として、放物面鏡を採用している。なお、光源ランプ２１６としては、高圧水銀ランプに限らず、例えばメタルハライドランプやハロゲンランプ等を採用してもよい。また、リフレクタ２１７として放物面鏡を採用しているが、これに限らず、楕円面鏡からなるリフレクタの射出面に平行化凹レンズを配置した構成を採用してもよい。
また、この光源装置１の周辺は、光源ランプ２１６での電気エネルギーから光エネルギーへの変換ロス等で生じる熱により、このプロジェクタ１００の内部において最も温度が上昇するため、後述する第２の冷却装置６Ｂにより冷却可能になるように配置されている。
【００１６】
第１レンズアレイ２１２は、照明光軸方向から見てほぼ矩形状の輪郭を有する小レンズがマトリクス状に配列された構成を具備している。各小レンズは、光源ランプ２１６から射出された光束を部分光束に分割し、照明光軸方向に射出する。
第２レンズアレイ２１３は、第１レンズアレイ２１２と略同様の構成であり、小レンズがマトリクス状に配列された構成を具備する。この第２レンズアレイ２１３は、重畳レンズ２１５とともに、第１レンズアレイ２１２の各小レンズの像を光学装置２４の後述する液晶ライトバルブ２４１Ｒ，２４１Ｇ，２４１Ｂの画像形成領域に結像させる機能を有する。
【００１７】
偏光変換素子２１４は、第２レンズアレイ２１３からの光を略１種類の偏光光に変換するものであり、これにより、光学装置２４での光の利用効率が高められている。
具体的に、偏光変換素子２１４によって略１種類の偏光光に変換された各部分光束は、重畳レンズ２１５によって最終的に光学装置２４の後述する液晶ライトバルブ２４１Ｒ，２４１Ｇ，２４１Ｂの画像形成領域にほぼ重畳される。偏光光を変調するタイプの液晶ライトバルブ２４１Ｒ，２４１Ｇ，２４１Ｂを用いたプロジェクタ１００では、１種類の偏光光しか利用できないため、ランダムな偏光光を発する光源ランプ２１６からの光束の略半分が利用されない。このため、偏光変換素子２１４を用いることにより、光源ランプ２１６から射出された光束を略１種類の偏光光に変換し、光学装置２４における光の利用効率を高めている。なお、このような偏光変換素子２１４は、例えば、特開平８−３０４７３９号公報に紹介されている。
【００１８】
色分離光学系２２は、２枚のダイクロイックミラー２２１，２２２と、反射ミラー２２３とを備える。インテグレータ照明光学系２１から射出された複数の部分光束は、２枚のダイクロイックミラー２２１により赤（Ｒ）、緑（Ｇ）、青（Ｂ）の３色の色光に分離される。
リレー光学系２３は、入射側レンズ２３１と、リレーレンズ２３３と、反射ミラー２３２，２３４とを備えている。このリレー光学系２３は、色分離光学系２２で分離された色光である青色光を光学装置２４の後述する液晶ライトバルブ２４１Ｂまで導く機能を有している。
【００１９】
この際、色分離光学系２２のダイクロイックミラー２２１では、インテグレータ照明光学系２１から射出された光束のうち、緑色光成分と青色光成分とは透過し、赤色光成分は反射する。ダイクロイックミラー２２１によって反射した赤色光は、反射ミラー２２３で反射し、フィールドレンズ２２４を通って、赤色用の液晶ライトバルブ２４１Ｒに到達する。このフィールドレンズ２２４は、第２レンズアレイ２１３から射出された各部分光束をその中心軸（主光線）に対して平行な光束に変換する。他の液晶ライトバルブ２４１Ｇ，２４１Ｂの光入射側に設けられたフィールドレンズ２２４も同様である。
【００２０】
また、ダイクロイックミラー２２１を透過した青色光と緑色光のうちで、緑色光は、ダイクロイックミラー２２２によって反射し、フィールドレンズ２２４を通って、緑色光用の液晶ライトバルブ２４１Ｇに到達する。一方、青色光は、ダイクロイックミラー２２２を透過してリレー光学系２３を通り、さらにフィールドレンズ２２４を通って、青色光用の液晶ライトバルブ２４１Ｂに到達する。
なお、青色光にリレー光学系２３が用いられているのは、青色光の光路の長さが他の色光の光路長さよりも長いため、光の発散等による光の利用効率の低下を防止するためである。すなわち、入射側レンズ２３１に入射した部分光束をそのまま、フィールドレンズ２２４に伝えるためである。なお、リレー光学系２３には、３つの色光のうち、青色光を通す構成としたが、これに限らず、例えば、赤色光を通す構成としてもよい。
【００２１】
光学装置２４は、入射された光束を画像情報に応じて変調してカラー画像を形成する。この光学装置２４は、色分離光学系２２で分離された各色光が入射される３つの入射側偏光板２４２と、各入射側偏光板２４２の後段に配置され、光変調素子である液晶ライトバルブ２４１Ｒ，２４１Ｇ，２４１Ｂ、光学変換板２４３、および色合成光学系としてのクロスダイクロイックプリズム２４４とを備える。この中で、入射側偏光板２４２、液晶ライトバルブ２４１Ｒ，２４１Ｇ，２４１Ｂおよび光学変換板２４３は、光変調装置を構成する。
入射側偏光板２４２は、色分離光学系２２で分離された色光のうち、一定方向の偏光光のみ透過させ、その他の光束を吸収する。
液晶ライトバルブ２４１Ｂ（２４１Ｒ，２４１Ｇ）は、例えば、ポリシリコンＴＦＴをスイッチング素子として用いたものであり、対向配置される一対の透明基板内に液晶が密封封入されている。そして、この液晶ライトバルブ２４１Ｂ（２４１Ｒ，２４１Ｇ）は、入射側偏光板２４２を介して入射する光束を画像情報に応じて変調して射出する。
この液晶ライトバルブ２４１Ｂ（２４１Ｒ，２４１Ｇ）の周辺は、それぞれのスイッチング作用により温度が上昇するため、後述する第１の冷却装置６Ａにより冷却可能になるように配置されている。
【００２２】
光学変換板２４３は、液晶ライトバルブ２４１から射出された光束の光学特性を変換するものであり、具体的には、例えば、偏光板、位相差板、色補正板、または視野角補償板等が考えられる。
クロスダイクロイックプリズム２４４は、光学変換板２４３から射出され、色光毎に変調された光学像を合成してカラー画像を形成する。このクロスダイクロイックプリズム２４４には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
投写レンズ３は、投写光学系を構成して、光学装置２により画像情報に応じて変調された光学像を拡大投写する。この投写レンズ３は、筒状の鏡筒内に複数のレンズが収納された組レンズとして構成され、複数のレンズの相対位置を変更可能な図示しないレバーを備え、投写像のフォーカス調整、および倍率調整可能に構成されている。
【００２３】
（３．冷却系の主な構成と作用）
次に、このプロジェクタ１００の冷却系について説明する。図４は、プロジェクタ１００の冷却系の概略を示す図である。このプロジェクタ１００の冷却装置６は、光源ランプ２１６を有する光源装置１の周辺と、電源装置４の周辺と、光学装置２４の液晶ライトバルブ２４１の周辺と、スクリーン撮像部５の撮像素子５５周辺とを冷却する。また、この冷却装置６は、冷却媒体として空気を使用する。この空気は、冷却装置６が内蔵するファンにより、プロジェクタ１００の外部の一方の側から吸引され、冷却対象を通過する際に熱交換を行って冷却対象から熱を吸収した後、プロジェクタ１００の外部の他方の側から排出される。
第１の冷却装置６Ａは、光学装置２の液晶ライトバルブ２４１と、撮像素子５５とを主に冷却する。即ち、第１の冷却装置６Ａは、吸気口８Ａから、プロジェクタ１００の外部の空気を吸引して、吸引した空気を流路に流すと共に、この流路を分岐することで、冷却媒体としての空気の流れを略等分する。ここで、一方の流路は、この空気が、それぞれの液晶ライトバルブ（２４１Ｒ，２４１Ｇ，２４１Ｂ）を通過するように構成されているため、それぞれの液晶ライトバルブ（２４１Ｒ，２４１Ｇ，２４１Ｂ）は、この空気と熱交換されて冷却される。加えて、それぞれの液晶ライトバルブ（２４１Ｒ，２４１Ｇ，２４１Ｂ）を通過した空気の一部は、光変調装置を構成する入射側偏光板２４２や光学変換板２４３の面に沿って流れ、これらも冷却されるように構成されている。
また、他方の流路は、この空気が、シャッター９と、このシャッター９を経て撮像素子５５に到達するように構成されている。このシャッター９は、スクリーン撮像部５の撮像素子５５が撮像している場合に、制御基板からの指示により開放するように調整されている。従って、撮像素子５５が撮像している場合は、シャッター９が開放されるために、前記空気が撮像素子５５に達する。
【００２４】
ここで、図５は、撮像素子５５の熱交換部の概略を示す図である。撮像素子５５は、マウンタ５２と、マウンタ５２の一方の側に実装されたＣＣＤ５３と、マウンタ５２の他方の側から配線された接続用フレキシブル基板５４とを備え、このマウンタ５２の他方の側には、シリコンシート等の伝熱材５６を介して、放熱器５７が貼付されている。撮像素子５５に達した前記空気は、放熱器５７を通過するように構成されているため、ＣＣＤ５３から発生する熱は、伝熱材５６を介して放熱器５７に伝わると共に、放熱器５７を通過する空気と熱交換されることで、この撮像素子５５は冷却される。
また、この撮像素子５５が撮像していない場合は、制御基板からの指示によりシャッター９が閉じられているために、空気は他方の流路に沿って移動出来ない。加えて、制御基板からの指示により、第１の冷却装置６Ａが流す空気の量は、略半分に低減される。従って、液晶ライトバルブ２４１を通過する空気の流量は、シャッター９の開閉に関係無く一定である。
液晶ライトバルブ２４１と、撮像素子５５とを冷却した空気は、アッパーケース３５とロアーケース３０との隙間等から、プロジェクタ１００の外部へ排気される。
【００２５】
第２の冷却装置６Ｂは、光源装置１を主に冷却する。即ち、第２の冷却装置６Ｂは、ロアーケース３０の底面部にある吸気口から、プロジェクタ１００の外部の空気を吸引して、吸引した空気を流路に排気する。この流路は、この空気が光源装置１の内部を通過するように構成されているため、光源装置１は、この空気と熱交換されて冷却される。
また、第３の冷却装置６Ｃは、第２の冷却装置６Ｂと同様に、流路を流れる空気により電源装置４を主に冷却する。
尚、光源装置１と電源装置４を冷却することで温暖化された空気は、図示を略した排気用のシロッコファンで吸引されて、排気口８Ｂから排出され、排気用ルーバ３８を経てプロジェクタ１００の前面の外部に放出される。
【００２６】
以上述べたような実施形態１によれば、次のような効果がある。
（１）シャッター９は、撮像素子５５が撮像している場合に限り冷却するよう冷却媒体の流れを制御すると共に、撮像素子５５を冷却していない場合、第１の冷却装置６Ａは、流動する冷却媒体の量を低減するため、冷却装置６の消費電力を低減できる。
（２）冷却装置６は、冷却のための冷却媒体として空気を使用するため、プロジェクタ１００の内部の配管が容易になると共に、冷却媒体が配管から漏れた場合も、プロジェクタ１００へ及ぼす影響が少ない。
【００２７】
（実施形態２）
次に、本発明の実施形態２について、図６および図７を参照して説明する。尚、以下の説明では、既に説明した部分と同一な部分については、同一符号を付してその説明を省略する。
図６は、本実施形態２の冷却系の概略を示している。前記した実施形態１において、冷却は、冷却媒体として空気を用いたが、本実施形態２における冷却系では、循環器６０を備え、冷却媒体は液体を用いる。ここで、液体は水やオイルに加えて、エチレングリコール等の液体を冷却媒体として用いても構わない。
循環器６０は、ポンプ６１と、熱交換器６２とを備える。ポンプ６１は、冷却媒体を一方向に流通させるための圧力を生成する。また、熱交換器６２は、例えば放熱フィンのように、冷却媒体を外気と熱交換することにより、冷却するものである。供給パイプ６３および回収パイプ６４は、熱伝導率の高い銅系の金属で構成された管で形成され、それぞれポンプ６１の流出側および流入側に接続されている。即ち、ポンプ６１の流出側に接続された供給パイプ６３は、撮像素子５５、液晶ライトバルブ２４１、光源装置１および電源装置４に対して分岐される。分岐されたそれぞれの供給パイプ６３は、撮像素子５５、液晶ライトバルブ２４１、光源装置１および電源装置４に略接して配置されると共に、それぞれの終端部は、それぞれ回収パイプ６４に接続される。それぞれ回収パイプ６４は、後段側で１本に結合され、回収パイプ６４の終端部はポンプ６１の流入側に接続される。
【００２８】
ここで、図７は、本実施形態２における撮像素子５５の熱交換部の概略を示す図である。前記した実施形態１では、マウンタ５２の他方の側には、伝熱材５６を介して、放熱器５７が貼付されていたが、本実施形態２では、冷却媒体容器５８が貼付される。この冷却媒体容器５８に、供給パイプ６３を介して冷却媒体が送り込まれ、冷却媒体容器５８内の冷却媒体は、発熱部品であるＣＣＤ５３との間で熱交換を行うことで加熱される。この加熱された冷却媒体は、回収パイプ６４に送り出されて熱交換器６２に戻り、再び冷却される。
このような実施形態２においても、実施形態１の（１）と同様な効果に加え、以下のような効果を奏することができる。
（３）冷却装置６は、冷却のための冷却媒体として液体を使用することから、ファンは必要でないため、騒音を抑えたプロジェクタを提供できる。
【００２９】
以上、本発明を図示した実施形態に基づいて説明したが、本発明は、これに限定されるものではなく、以下に述べるような変形例も想定できる。
（１）冷却装置６は、熱を吸収する冷却媒体による冷却に限らず、例えば、ペルチェ素子のような熱伝冷却素子を用いて冷却しても良い。
（２）光学装置２の変調素子は、液晶ライトバルブ２４１に限らず、ＤＭＤ（Digital Micro-mirror Device）やＬＣｏＳ（Liquid Crystal on Silicon）等を用いても良い。
（３）熱交換器６２の近傍にファン等の冷却手段を設け、熱交換器６２を冷却しても良い。
【図面の簡単な説明】
【００３０】
【図１】本発明の実施形態１に係るプロジェクタの外観を示す斜視図。
【図２】前記実施形態におけるプロジェクタの内部の概略構成を示す斜視図。
【図３】前記実施形態におけるプロジェクタの光学系の構造を模式的に示す平面図。
【図４】前記実施形態におけるプロジェクタの冷却系の概略を示す図。
【図５】前記実施形態における撮像素子の熱交換部の概略を示す図。
【図６】本発明の実施形態２の冷却系の概略を示す図。
【図７】前記実施形態における撮像素子の熱交換部の概略を示す図。
【符号の説明】
【００３１】
１…光源装置、２…光学ユニット、３…投写レンズ、４…電源装置、５…スクリーン撮像部、６…冷却装置、７…信号処理部、８…空気流出入口、９…シャッター、２１…インテグレータ照明光学系、２２…色分離光学系、２３…リレー光学系、２４…光学装置、２５…ライトガイド、３０…ロアーケース、３５…アッパーケース、３６…センサ窓、３７…操作パネル、３８…排気用ルーバ、３９…切欠部、５１…撮像レンズ、５２…マウンタ、５３…ＣＣＤ、５４…接続用フレキシブル基板、５５…撮像素子、５６…伝熱材、５７…放熱器、５８…冷却媒体容器、６０…循環器、６１…ポンプ、６２…熱交換器、６３…供給パイプ、６４…回収パイプ、１００…プロジェクタ、２１２…第１レンズアレイ、２１３…第２レンズアレイ、２１４…偏光変換素子、２１５…重畳レンズ、２１６…光源ランプ、２１７…リフレクタ、２１８…防爆ガラス、２２１，２２２…ダイクロイックミラー、、２２３…反射ミラー、２２４…フィールドレンズ、２３１…入射側レンズ、２３２，２３４…反射ミラー、２３３…リレーレンズ、２４１…液晶ライトバルブ、２４２…入射側偏光板、２４３…光学変換板、２４４…クロスダイクロイックプリズム。
【図１】
2006064915.tif 000003
【図２】
2006064915.tif 000004
【図３】
2006064915.tif 000005
【図４】
2006064915.tif 000006
【図５】
2006064915.tif 000007
【図６】
2006064915.tif 000008
【図７】
2006064915.tif 000009